(57)【特許請求の範囲】
【請求項１】
駆動源により回転駆動する駆動軸の設けられたウインチ本体と、前記駆動軸に取り付けられた巻回ドラムと、ロープを前記巻回ドラムの外周面に形成された溝に取り入れ及び取り出し移動すべく巻回ドラムの近傍で前記ウインチ本体に固定された支軸に回転自在に軸支した一対の案内ローラと、ロープを溝側に押圧すべくロープの巻回された溝部分に沿って設けられ複数個のローラを連結した移動用ローラとから構成されたエンドレス方式のウインチにおいて、前記案内ローラを軸支する支軸には、一端側を前記移動用ローラの端部ローラに連結し、誘導ローラを回転自在に軸支した揺動板が該揺動板に形成された長孔を介して孔に沿って移動すべく遊嵌状態で取り付けられ、且つ前記揺動板の他端側には支軸を中心とする回転により前記誘導ローラをロープ側に付勢すべく弾性体が連結され、しかも前記弾性体の取り付け位置を調整することで、前記弾性体の付勢方向を調整可能に構成されていることを特徴とするエンドレス方式のウインチ。
【請求項２】
ウインチ本体に設けられた駆動軸を駆動源で回転駆動し、前記駆動軸に取り付けられた巻回ドラムを回転することで、前記ウインチ本体に設けられた支軸に回転自在に軸支された一方の案内ローラを介して取り入れられたロープを前記巻回ドラムの外周面に形成された溝に沿って取り付けられ複数個のローラを連結した移動用ローラで溝側に押圧しながらウインチ本体に設けられた支軸に回転自在に軸支された他方の案内ローラを介して取り出し移動するエンドレス方式のウインチを用いたロープの移動方法において、前記案内ローラを軸支した支軸に長孔を介して遊嵌状態で取り付けられ一端側を前記移動用ローラの端部ローラに連結した揺動板の孔に沿っての移動と、該揺動板への弾性体の取り付け方向を調整した支軸を中心としての回転との組み合わせによる前記揺動板の揺動方向の調整で、ロープを溝側に誘導しながら前記移動用ローラでロープを溝側に押圧して取り入れ移動し、又は移動用ローラでロープを溝側に押圧しながら揺動板を孔に沿っての移動と弾性体の取り付け方向を調整することで前記揺動板の支軸を中心としての回転との組み合わせによる揺動方向の調整によりロープを溝より誘導して取り出し移動することを特徴とするエンドレス方式のウインチを用いたロープの移動方法。
【発明の詳細な説明】
【発明の詳細な説明】
【技術分野】
【０００１】本発明は、主に屋内外の施設でネット又はシートに連結したロープを移動するのに使用、又はゴンドラの昇降用のロープの移動として使用するエンドレス方式のウインチ、及び該エンドレス方式のウインチを用いたロープの移動方法に関する。【０００２】従来、球技用の防球ネットの移動用に使用するエンドレス方式のウインチは、モータ等の駆動源に直接、又は増減速機構を介して連結する駆動軸の設けられた矩形状のウインチ本体と、該駆動軸に固定状態で取り付けられ、外周面に沿ってループ状に溝の形成された円形状の巻回ドラムと、該巻回ドラムの近傍でウインチ本体に並行位置で回転自在に軸支し、ネットに連結されたロープ（本発明でロープとは、一般的に使用されるワイヤロープ、樹脂性ロープ等の総称である）を溝に取り入れ及び溝より取り出し移動する一対の案内ローラと、一方の案内ローラより取り入れ移動及び他方の案内ローラより取り出し移動し、巻回ドラムに巻回されたロープを溝側に押圧し、巻回ドラムの回転方向に沿って移動する移動用ローラとから構成されている。【０００３】前記エンドレス方式のウインチは、駆動源で駆動軸を回転駆動し、該駆動軸に取り付けられた巻回ドラムを回転した状態で、一方の案内ローラを介してロープを巻回ドラムの溝に取り入れ、溝に沿って移動用ローラで押圧しながらロープを溝に巻回移動し、他方の案内ローラ側よりロープを取り出すように、ネットに連結されたロープをエンドレス状に移動する。【０００４】この際、ロープにはネットの荷重等により巻回ドラムの溝への取り出し側と取り入れ側でテンションが相違し、特にテンションの弱い側のロープに弛み、撓み又は捩じれが発生し易く、スムーズなロープの移動ができない。【０００５】上記弛み等の解消手段として、移動用ローラの両端側にバネ等の弾性体を連結する手段が用いられる。即ち、移動用ローラは巻回ドラムの回転方向に引っ張られながら弾性体の付勢で端部ローラを中心に溝側にロープを押圧して溝に沿って移動する。【０００６】また、他の解消手段として、移動用ローラの両端部に別体の押圧部材を取り付け、該押圧部材でロープの溝への取り入れ端部を溝側に押圧しながら移動用ローラで溝に沿ってロープを押圧移動する。
【発明が解決しようとする課題】
【０００７】しかしながら、上記エンドレス方式のウインチは、案内ローラで溝側へ取り入れられたロープを、移動用ローラの端部ローラで、又は押圧部材を連動して強く溝側に押圧することで、ロープにかかるテンションの強弱に対応しながら溝にロープを巻回移動するために、溝への取り入れ端部で強制的にロープを押圧することとなり、ロープの摩耗が頻繁に発生する。
【０００８】また、溝より取り出されるロープを、移動用ローラで、又は移動用ローラと押圧部材とを連動して溝側に押圧することで、テンションの強弱に対応しながら溝より取り出し移動するが、溝より取り出されたロープ部分の弛み等の解消できない欠点があった。
【０００９】また、端部のみの弾性ではロープの弛み等の解消、又はテンションの強弱に十分に対応することができずスムーズなロープの移動ができない。
【００１０】さらに、案内ローラから溝部分までの間で弛んだロープ部分で新たな捩じれが発生する可能性があり、ロープの溝への取り入れが適切に行えないという欠点があった。
【００１１】そこで、本発明はロープへの負荷が少なく、容易に弛み等を解消することができ、スムーズなロープの移動を可能とするエンドレス方式のウインチ、及び該エンドレス方式のウインチを用いたロープの移動方法を提供することを課題とする。
【課題を解決するための手段】
【００１２】上記課題を解決する本願発明の解決手段としてのエンドレス方式のウインチは、請求項１に記載のように、駆動源により回転駆動する駆動軸の設けられたウインチ本体と、前記駆動軸に取り付けられた巻回ドラムと、ロープを前記巻回ドラムの外周面に形成された溝に取り入れ及び取り出し移動すべく巻回ドラムの近傍で前記ウインチ本体に固定された支軸に回転自在に軸支した一対の案内ローラと、ロープを溝側に押圧すべくロープの巻回された溝部分に沿って設けられ複数個のローラを連結した移動用ローラとから構成されたエンドレス方式のウインチにおいて、前記案内ローラを軸支する支軸には、一端側を前記移動用ローラの端部ローラに連結し、誘導ローラを回転自在に軸支した揺動板が該揺動板に形成された長孔を介して孔に沿って移動すべく遊嵌状態で取り付けられ、且つ該揺動板の他端側には支軸を中心とする回転により前記誘導ローラをロープ側に付勢すべく弾性体が連結され、しかも前記弾性体の取り付け位置を調整することで、前記弾性体付勢方向を調整可能に構成されていることを特徴とする。
【００１３】また、上記課題を解決する他の手段としてのエンドレス方式のウインチを用いたロープの移動方法は、請求項２に記載のように、ウインチ本体に設けられた駆動軸を駆動源で回転駆動し、前記駆動軸に取り付けられた巻回ドラムを回転することで、ウインチ本体に設けられた支軸に回転自在に軸支された一方の案内ローラを介して取り入れられたロープを前記巻回ドラムの外周面に形成された溝に沿って取り付けられ複数個のローラを連結した移動用ローラで溝側に押圧しながらウインチ本体に設けられた支軸に回転自在に軸支された他方の案内ローラを介して取出し移動するエンドレス方式のウインチを用いたロープの移動方法において、前記案内ローラを軸支した支軸に長孔を介して遊嵌状態で取り付けられ一端側を前記移動用ローラの端部ローラに連結した揺動板の孔に沿っての移動と、該揺動板への弾性体の取り付け方向を調整した支軸を中心としての回転との組み合わせによる前記揺動板の揺動方向の調整で、ロープを溝側に誘導しながら前記移動用ローラでロープを溝側に押圧して取り入れ移動し、又は移動用ローラでロープを溝側に押圧しながら揺動板を孔に沿っての移動と弾性体の取り付け方向を調整することで前記揺動板の支軸を中心としての回転との組み合わせによる揺動方向の調整によりロープを溝より誘導して取出し移動することを特徴とする。
【発明の作用効果】
【００１４】本発明の球技用のエンドレス方式のウインチ及び該エンドレス方式のウインチを用いたロープの移動方法の作用効果について説明する。
【００１５】請求項１に記載のエンドレス方式のウインチは、先ず駆動源で駆動軸を回転駆動し、該駆動軸に取り付けられた巻回ドラムを回転した状態で、ネット等に連結したロープを一方の案内ローラを介してウインチ本体に取り入れ、巻回ドラムの外周面に形成された溝に沿って巻回した後、他方の案内ローラより取り出し移動する。
【００１６】そして、前記巻回ドラムの溝に巻回されたロープは、移動用ローラで溝側に押圧された状態で移動する。
【００１７】この際、上記ロープはネット等に連結しているために、ロープのウインチ本体への取り入れ側と取り出し側ではロープにかかるテンションが相違し、テンションの弱い側ではロープの弛み等を発生し易い。
【００１８】そこで、上記ロープにかかるテンションの強弱に応じて、案内ローラの支軸に遊嵌状態で取り付けられた揺動板を揺動し、該揺動板に回転自在に軸支した誘導ローラを弾性体の付勢で溝方向に押圧移動するとともに、前記揺動板の端部ローラに連結した移動用ローラを連動して弾性移動する。
【００１９】これにより、案内ローラを回転しながら取り入れたロープは、ロープにかかるテンションの強弱に応じて揺動板を支軸に対して適切に揺動しながら誘導ローラでロープを溝方向に誘導移動し、弛み等を解消した状態で溝にロープを取り入れるとともに、溝に取り入れられたロープを連動した移動用ローラで溝側に押圧しながら溝に沿って巻回移動する。
【００２０】そして、溝側へ押圧移動されたロープは、揺動板を支軸に対して適切に揺動しながら誘導ローラで溝方向より誘導移動し、案内ローラを介して取り出し移動される。
【００２１】即ち、ロープの取り入れ時において、ロープにかかるテンションが強い場合は、揺動板の揺動移動が小さくロープを誘導ローラで付勢して溝側へ誘導するとともに、連動した移動用ローラを移動して溝に取り入れられたロープを溝側に押圧し、テンションの弱い場合は、揺動板の揺動移動が大きく、ロープを引っ張った状態となるように誘導ローラで付勢して溝側に誘導するとともに、連動した移動用ローラを移動して溝に取り入れられたロープを押圧する。
【００２２】また、ロープの取り出し時において、テンションの強い場合は、移動用ローラの移動でロープを溝側に押圧しながら端部ローラよりロープを取り出し移動し、連動する揺動板を小さく揺動移動して揺動ローラでロープを溝方向に押圧して誘導し、案内ローラを介して取り出し移動し、テンションが弱い場合は、移動用ローラの移動でロープを溝側に押圧しながら端部ローラよりロープを取り出し移動し、連動する揺動板を大きく揺動して誘導ローラでロープを引っ張った状態でロープを溝方向に押圧して誘導し、案内ローラを介して取り出し移動する。
【００２３】また、上記揺動板を揺動し誘導ローラを付勢する弾性体の付勢方向は調整可能に構成されているために、ロープの吊り張り方向に対応して、揺動板を揺動することができるとともに、揺動板の揺動方向（回動方向と上下方向との組み合わせ）と移動用ローラとの移動量（溝に沿っての移動）を調整することができる。
【００２４】即ち、揺動板を弾性体でロープの取り入れ方向に引っ張ると、揺動方向は上下方向が強く、回転方向が弱い組み合わせとなり、揺動板を弾性体でロープの取り入れ方向と交差する方向に引っ張ると、揺動方向は上下方向が弱く、回転方向が強い組み合わせになり、連動する移動用ローラの移動量に関連し、移動用ローラによるロープの溝側への押圧力に関連することとなる。
【００２５】このため、ロープは溝への取り入れ、溝に沿っての巻回、及び溝よりの取り出し移動を簡易な構成で適切に行え、スムーズにロープを移動することができる。
【００２６】また、揺動板と移動用ローラとが連動しているために、ロープを適切に揺動移動、巻回移動することができ、ロープに強い負荷がかからず、また、揺動板への取り付け方向を調整することで、揺動移動及び移動用ローラの押圧移動を自在に調整可能であり、頻繁なメンテナンス作業を必要としない。
【００２７】また、案内ローラより取り入れるロープ、及び案内ローラより取り出されるロープは、揺動板の揺動移動で常に直線状に維持することができ、適切に、且つスムーズに移動することができる。
【００２８】次に、請求項２に記載のエンドレス方式のウインチを用いたロープの移動方法は、先ず駆動源によりウインチ本体に設けられた駆動軸を回転駆動し、駆動軸に取り付けられた巻回ドラムを回転駆動し、巻回ドラムの溝にウインチ本体に軸支した一方の案内ローラを介してロープを取り入れ、溝に沿ってロープを巻回した後、ウインチ本体に軸支した他方の案内ローラよりロープを取り出し移動する。
【００２９】上記一方の案内ローラよりロープを巻回ドラムの溝に取り入れる際、前記一方の案内ローラの支軸に遊嵌された揺動板を弾性体で溝方向に付勢することで、案内ローラの回転で取り入れられたロープは、テンションの強弱に応じて揺動板を揺動し、該揺動板に取り付けられた誘導ローラを溝方向に適切に押圧移動して、上記ロープを直線状に誘導して弛み等を解消しながら溝に取り入れるように誘導するとともに、前記揺動板に連結した移動用ローラの端部ローラでロープを溝側に押圧しながら、溝に沿って押圧移動する。
【００３０】上記テンションの強弱に応じてとは、テンションの強い場合は、揺動板の揺動移動が小さくなるとともに、誘導ローラの押圧移動も小さくなり、テンションの弱い場合は、揺動板の揺動移動が大きくなるとともに、連動する移動用ローラの移動が大きくなる。
【００３１】そのため、溝に取り入れたロープは、移動用ローラで溝側に適切に押圧しながら溝に沿ってスムーズに巻回移動することができる。
【００３２】また、ロープの取り出し側でも同様にテンションの強弱に応じて、溝に巻回されたロープを移動用ローラで溝方向に押圧しながら端部のローラ部分より取り出すとともに、他方の案内ローラの支軸に遊嵌された揺動板を弾性体で付勢することで該揺動板に回転自在に軸支された誘導ローラを上記移動用ローラと連動して溝方向に適切に押圧しながら案内ローラを介してロープを取り出し移動する。
【００３３】この際も、取り出されたロープにかかるテンションの強弱（テンションが強い場合は、揺動板の揺動移動が少なく、テンションが弱い場合は、揺動板の揺動移動が大きく）に応じて揺動板を揺動する。
【００３４】また、前記揺動板は弾性体で付勢方向を調整することができるので、誘導ローラの溝方向への押圧力の調整、及び連動する移動用ローラの溝に沿っての移動量の調整ができ、さらにロープをスムーズにロープを移動することができる。
【００３５】このように、本発明のエンドレス方式のウインチを用いたロープの移動方法は、ロープの弛み等を溝に取り入れる前に解消して溝へ誘導することができ、また、ロープの弛み等を溝より取り出す際に解消することができ、スムーズなロープの移動を可能とする。
【００３６】また、案内ローラが固定された支軸で回転してロープを取り入れ、揺動板は該支軸に対して揺動移動するために、誘導ローラによる押圧調整が容易でテンションの強弱に容易に対応することができ、また、揺動板への取り付け方向を調整することで、揺動移動及び移動用ローラの押圧移動を自在に調整可能であり、使用目的に応じて自在に設定することができる。
【００３７】また、このようにロープの移動が容易で、スムーズに行えるために、ロープの摩耗が少なく、従来のような頻繁なメンテナンス作業を必要としない。
【発明を実施するための最良の形態】
【００３８】次に、本発明のエンドレス方式のウインチ、及び該エンドレス方式のウインチを用いたロープの移動方法について図面を参照して説明する。【００３９】図１は本発明のエンドレス方式のウインチの実施例を示す概略説明平面図であり、図２は図１の揺動体及び移動用ローラの移動を示す概略説明平面図であり、図３は本発明のエンドレス方式のウインチの他実施例を示す概略説明側面部であり、図４、図５は弾性体の付勢方向の他実施例を示す概略説明平面図であり、図６、図７は本発明のエンドレス方式のウインチを用いたロープの移動方法のフローチャートである。【００４０】本発明のエンドレス方式のウインチ１は、駆動源（電動モータ、手動用ハンドル）に直接又はクラッチ、ブレーキ等の増速・減速機構を介して連結される駆動軸２と、該駆動軸２を回転自在に軸支した略矩形状のウインチ本体３と、前記駆動軸２に取り付けられ、外周面に沿ってループ状に溝の形成された円形状の巻回ドラム４と、該巻回ドラム４の近傍でウインチ本体３に並行に固定された支軸５に回転自在に取り付けられた一対の案内ローラ６と、一対の案内ローラ６間を除いた巻回ドラム４の溝に沿って取り付けられ、複数個のローラを連結した移動用ローラ７とから構成されている。【００４１】前記案内ローラ６の設けられた支軸５には、案内ローラ６の上下方向で略三角形状の一対の揺動板８が長尺状の孔９を介して遊嵌状態で取り付けられ、該揺動板８の巻回ドラム４側（以下、一端側と記載）には誘導ローラ１０を回転自在に軸支し、ロープ２０取り入れ側（以下、他方側と記載）には前記誘導ローラ１０を溝方向に押圧移動する弾性体１１が連結されている。【００４２】前記揺動板８の一端側は前記移動用ローラ７の端部ローラ７Ａと連結し、揺動板８の揺動に連動して溝に沿って移動しながらロープ２０を溝側に押圧する。【００４３】前記弾性体１１は揺動板８の他端側のロープ２０の取り入れ方向に並行位置（Ａ）に連結することで、揺動板８の揺動を、支軸５を中心とする回転と、孔９に沿っての上下方向の移動との組み合わせた移動とするとともに、移動用ローラ７の移動も孔９に沿った上下方向の移動に対応した押圧移動し、また、弾性体１１をロープ２０の取り入れ方向に直交位置（Ｂ）に連結することで、揺動板８の揺動は支軸５を中心とする回転と、孔９に沿った垂直方向の移動との組み合わせの回動を主とする移動とするとともに、移動用ローラ７の移動も溝側への強い押圧移動することができる。【００４４】これにより、揺動板８はロープ２０にかかるテンションの強弱に対応して揺動移動しながら誘導ローラ１０でロープ２０を溝方向に押圧して溝側に誘導移動するとともに、移動用ローラ７の端部ローラ７Ａを連動して溝側に適切な押圧力で押圧移動することができる。【００４５】尚、前記揺動体８の形状は上記略三角形状に限定されるものでなく、長尺状の形状ならば長方形状でも、半円形状でもよい。要は、一方側に誘導ローラ１０を回転自在に軸支でき、他方側に弾性体を連結できるならその形状は特に限定されるものでない。【００４６】また、上記揺動板８も実施例のように上下一対で形成されたものに限定されるものでなく、厚みのある一枚の揺動板８で形成することも可能である。【００４７】また、揺動板８に形成された孔９の形状も実施例のように長孔に限定されるものでなく、略円形状に形成することも可能である。要は、支軸５に遊嵌される形状であれば、特にその形状は限定されるものでない。【００４８】また、揺動板８と端部ローラ７Ａとの連結は上記実施例のように直接連結に限定されるものでなく、第２弾性体（図示せず）を介して連結することで移動用ローラ７の溝側への押圧力を調整することも可能である。【００４９】また、誘導ローラ１０の数も実施例のように１個に限定されるものでなく、２個、又は２個以上の誘導ローラ１０を揺動板８に回転自在に軸支することも可能である。【００５０】また、前記弾性体１１の揺動板８の他端側への取り付け位置は、ロープ２０の取り入れ方向に並行な位置（Ａ）に取り付けると、揺動板８は孔９に沿った上下方向の移動を主とするとともに支軸５を中心とする回転との組み合わせによる揺動を行い、又ロープ２０の取り入れ方向と交差する位置（Ｂ）に取り付けると、支軸５を中心とする回転を主としながら上下方向の移動との組み合わせによる揺動を行い、さらに、両方の位置（Ａ）、（Ｂ）に取り付けるとさらに微細な揺動（上下方向と回転との）が可能である。【００５１】本発明のエンドレス方式のウインチ１は上記のように構成され、次に、該エンドレス方式のウインチ１を用いてネットに連結したロープ２０を移動する場合について説明する。【００５２】先ず、各種の防球用ネット（図示せず）に連結したロープ２０を取り入れ移動する場合は、ウインチ本体３に固定された支軸５に回転自在に取り付けられた案内ローラ６を介してロープ２０をウインチ本体３に取り入れ、前記支軸５に沿って揺動移動すべく長孔９を介して遊嵌された揺動板８を揺動移動するとともに、連動した移動用ローラ７を押圧移動する。【００５３】即ち、揺動板８の揺動移動で誘導ローラ１０を溝方向に押圧移動して前記取り入れたロープ２０を直線状にして溝方向へ誘導移動するとともに、溝に取り入れられたロープ２０を前記揺動板８に連結した移動用ローラ７の一端側の端部ローラ７Ａで溝側へ押圧しながら移動用ローラ７を溝に沿って移動し移動用ローラ７を形成する各ローラでロープ２０を溝側に適切に押圧して溝に巻回する。【００５４】上記ロープ２０を溝に取り入れる際、ロープ２０にかかるテンションの強弱に応じて揺動板８と移動用ローラ７とをそれぞれ移動する。【００５５】具体的には、ロープ２０のテンションが強い（ロープ２０に弛み等がなく強く引っ張られた状態）場合は、誘導ローラ１０の溝方向への押圧移動が抑えられ、揺動板８の揺動移動（支軸５を中心とする回転移動と孔９に沿った上下方向の移動との組み合わせ移動）が小さく移動するとともに、連動した移動用ローラ７の溝に沿っての移動量も少なく移動し、テンションが弱い（ロープ２０に弛み等が発生し易い状態）場合は、誘導ローラ１０の溝方向への押圧移動が強く働き、揺動板８の揺動移動が大きく移動するとともに、連動した移動用ローラ７の溝に沿っての移動量も大きく移動する。【００５６】次に、前記ロープ２０を取り出し移動する場合は、移動用ローラ７で溝側へ押圧移動しながらロープ２０を溝より取り出し、連動した揺動板８を支軸５沿って揺動移動する。【００５７】即ち、前記溝に巻回されたロープ２０は、移動用ローラ７の他端側の端部ローラ７Ａで溝側に押圧された状態で順次溝より取り出されるとともに、揺動板８の揺動移動で誘導ローラ１０を溝方向に押圧して取り出されたロープ２０を直線状に移動し、その後案内ローラ６を介してウインチ本体３より取り出し移動することができる。【００５８】上記ロープ２０を溝より取り出す際も、ロープ２０にかかるテンションの強弱に応じて揺動板８と移動用ローラ７とをそれぞれ移動する。【００５９】具体的には、取り出されるロープ２０のテンションが強い場合は、誘導ローラ１０の溝方向への押圧移動が抑えられ、移動用ローラ７の溝に沿っての移動量が少なく移動するとともに、揺動板８の揺動移動も小さく移動し、テンションが弱い場合は、誘導ローラ１０の溝方向への押圧移動が強く働き、移動用ローラ７の溝に沿っての移動量が大きく移動するとともに、揺動板８の揺動移動も大きく移動する。【００６０】このため、ロープ２０にかかるテンションの強弱による、ロープ２０の弛み、撓み及び捩じれを溝に取り入れる誘導移動の段階、又は溝より取り出す誘導移動の段階で解消することができ、一連のロープ２０の移動をスムーズに行うことができる。【００６１】従って、従来のようにロープ２０の一部分への過度の負荷が係らず分散処理でき、ロープ２０の摩耗が明らかに減少することとなる。【００６２】また、揺動板８と移動用ローラ７とが連動して移動するために、揺動板８の揺動移動に対応して適切に押圧移動でき、ロープ２０への押圧が一定となり頻繁なメンテナンス作業を必要としない。【００６３】また、案内ローラ６が固定位置であるために、揺動板８のテンションの強弱による揺動移動の調整（支軸５を中心として取り入れる及び取り出すロープ２０のテンションの強弱による弛み等に対する誘導ローラ１０の回動及び揺動板８の孔９に沿っての上下方向への移動の組み合わせの調整）が容易であり、ロープ２０をスムーズに誘導移動することができる。【００６４】特に、揺動板８への弾性体１１の取り付け位置を調整することで、揺動板８の揺動移動及び移動用ローラ７の押圧移動を自在に調整可能であり、使用目的に応じて自在に設定することができる。
【図面の簡単な説明】
【００６５】
【図１】本発明のエンドレス方式のウインチの実施例を示す概略説明平面図
【図２】図１の揺動板の揺動を示す概略説明平面図
【図３】本発明のエンドレス方式のウインチの他実施例を示す概略説明平面図
【図４】本発明の弾性体の付勢方向を示す概略説明平面図
【図５】本発明の弾性体の付勢方向を示す概略説明平面図
【図６】本発明のエンドレス方式のウインチを用いたロープの移動方法を示すフローチャート
【図７】本発明のエンドレス方式のウインチを用いたロープの移動方法を示すフローチャート
【符号の説明】
【００６６】１−エンドレス方式のウインチ、２―駆動軸、３−ウインチ本体、４−巻回ドラム、６−案内ローラ、８−揺動板
【要約】      （修正有）【課題】スムーズなロープの移動を可能とするエンドレス方式のウインチ、及び該ウインチを用いたロープの移動方法を提供する。【解決手段】駆動源により回転駆動する駆動軸２の設けられたウインチ本体３と、該駆動軸に取り付けられた巻回ドラム４と、ロープを前記巻回ドラムの外周面に形成された溝に取り入れ及び取り出し移動すべく巻回ドラムの近傍で前記ウインチ本体に回転自在に軸支した一対の案内ローラ６と、ロープを溝側に押圧すべくロープの巻回された溝部分に沿って設けられた移動用ローラ７とから構成されたエンドレス方式のウインチ１において、前記案内ローラを軸支する支軸５には、一端側を前記移動用ローラの端部ローラ７Ａに連結し、誘導ローラ１０を回転自在に軸支した揺動板８が遊嵌状態で取り付けられ、且つ該揺動板の他端側には前記誘導ローラをロープ側に付勢すべく弾性体１１が連結され、該弾性体の付勢方向が調整可能に構成されている。【選択図】図１【図１】
0005846512.tif 000002
【図２】
0005846512.tif 000003
【図３】
0005846512.tif 000004
【図４】
0005846512.tif 000005
【図５】
0005846512.tif 000006
【図６】
0005846512.tif 000007
【図７】
0005846512.tif 000008